(57)【要約】【課題】接着剤を用いずに固定し、光軸の調節ができる光学部品の固定部材を提供する。【解決手段】光学部品の固定部材１００は、光学装置に取り付けられ、光学部品を３箇所以上の箇所で挟持して光学装置に固定する固定部材であって、固定部材１００は、光学部品に当接して挟持する一対の支持部１０と、支持部１０が光学部品の当接部位を押圧して挟持する際の押圧力を調節する調節部２０と、を備え、調節部２０は、一対の支持部１０を構成するそれぞれの支持部１０を独立して移動させることにより押圧力を調節する。【選択図】図１
2013142850.tif 000002
【特許請求の範囲】
【請求項１】
光学装置に取り付けられ、光学部品を３箇所以上の箇所で挟持して前記光学装置に固定する固定部材であって、
前記固定部材は、
前記光学部品に当接して挟持する一対の支持部と、
前記支持部が前記光学部品の当接部位を押圧して挟持する際の押圧力を調節する調節部と、を備え、
前記調節部は、前記一対の支持部を構成するそれぞれの支持部を独立して移動させることにより前記押圧力を調節することを特徴とする光学部品の固定部材。
【請求項２】
前記光学部品に当接する前記支持部の当接面は、前記支持部の移動方向に垂直な面に対して傾斜していることを特徴とする請求項１に記載の光学部品の固定部材。
【請求項３】
前記当接面が滑面処理されていることを特徴とする請求項２に記載の光学部品の固定部材。
【請求項４】
前記調節部は、前記支持部に前記押圧力を伝達する弾性体を備えることを特徴とする請求項１ないし請求項３のいずれか一項に記載の光学部品の固定部材。
【請求項５】
前記光学部品を３箇所以上の箇所で挟持して前記光学装置に固定され、それぞれの前記固定部材において前記調節部によって調節される押圧力の均衡により、前記光学部品の固定位置が調節されることを特徴とする請求項１ないし請求項４のいずれか一項に記載の光学部品の固定部材。
【請求項６】
請求項１ないし請求項５のいずれか一項に記載の光学部品の固定部材を使用することを特徴とするプロジェクター。
【発明の詳細な説明】
【技術分野】
【０００１】
本発明は、光学部品の固定部材およびプロジェクターに関する。
【背景技術】
【０００２】
例えばプロジェクターのように複数のレンズやミラー、フィルターなどの光学部品を用いた装置は、それぞれの光学部品の光軸が一致するように固定され、使用段階においてもそれらが維持されるのが理想的である。従来、これらの光学部品を装置本体内に設置する方法として、例えば、特許文献１に記載されているように、光軸を合わせるための偏心調節を行なった後に接着剤で固定する方法が知られていた。
【先行技術文献】
【特許文献】
【０００３】
【特許文献１】特開２００７−１５５７６１号公報
【発明の概要】
【発明が解決しようとする課題】
【０００４】
しかしながら、特許文献１に記載の光学部品の固定方法では、温度変化によるストレスや、振動、落下の衝撃などにより、当初調節した光軸が維持できなくなる場合があるという問題があった。具体的には、光源の発する熱の影響による接着剤の膨張・収縮・軟化・硬化などにより光軸にズレが生じたり、振動、落下の衝撃などによる接着層の塑性変形や、接着面の剥離が発生したりすることで、光軸が維持されないという問題である。また、光学部品の光軸が狂ったり、光学部品が固定位置から脱落してしまったりした場合の修理は、古い接着剤を除去してから、再度光軸を調節した後に新たな接着剤により固定するなど繁雑な作業が必要であるという問題もあった。
【課題を解決するための手段】
【０００５】
本発明は、上述の課題の少なくとも一部を解決するためになされたものであり、以下の適用例または形態として実現することが可能である。
【０００６】
［適用例１］本適用例に係る光学部品の固定部材は、光学装置に取り付けられ、光学部品を３箇所以上の箇所で挟持して光学装置に固定する固定部材であって、固定部材は、光学部品に当接して挟持する一対の支持部と、支持部が光学部品の当接部位を押圧して挟持する際の押圧力を調節する調節部と、を備え、調節部は、一対の支持部を構成するそれぞれの支持部を独立して移動させることにより押圧力を調節することを特徴とする。
【０００７】
本適用例によれば、固定部材は、支持部と調節部とを備え、調節部は、光学部品を挟持して支える一対の支持部を構成するそれぞれの支持部を独立して移動させることで挟持する押圧力を調節する。光学部品を挟持する際に、一対の支持部のそれぞれ両方を、あるいは一方を光学部品の当接部位の方向に移動させることで、挟持する押圧力を高めることができる。また、それぞれの支持部を同じ方向に移動させることで、押圧力を変化させることなく、挟持する位置を移動させることができる。
【０００８】
光学部品が例えば円板状のレンズなどの場合に、光学装置の所望の位置に取り付けられた３個以上の固定部材によって、レンズ周辺の３箇所以上の部分を挟持することで、レンズを光学装置内に固定することができる。その際に、支持部が充分な押圧で挟持するように調節部で調節することで、接着剤などを使用することなくレンズを光学装置内に安定して固定することができる。また、上述したように支持部の挟持位置を調節することができるため、レンズを固定した後においても、レンズの位置や傾きなどの調節が可能となる。つまり、固定部材の調節部は光軸の傾き調節の機能を合わせ持つことができる。
【０００９】
また、光学部品の固定に接着剤を使用しないことにより、例えば、以下に示す様々な効果が得られる。
光学装置の製造工程において、接着剤が光学部品の表面に付着しないようにするマスク処理などが不要となる。
接着剤が発するアウトガスなどによる光学系への悪影響を排除することができる。
光学装置の温度変化が引き起こす接着剤の膨張・収縮・軟化・硬化などによる光軸のズレを排除することができる。
光学装置の温度変化によるストレスや、振動、落下の衝撃などによって接着面が剥離し光学部品が脱落するなどの問題が排除される。
光学部品の取り外しや、光軸の調節などのメンテナンスを簡便に行なうことができる。
【００１０】
［適用例２］上記適用例に係る光学部品の固定部材において、光学部品に当接する支持部の当接面は、支持部の移動方向に垂直な面に対して傾斜していることを特徴とする。
【００１１】
本適用例によれば、光学部品に当接する支持部の当接面は、支持部の移動方向に垂直な面に対して傾斜している。光学部品の当接部位に対する押圧が高まる方向に支持部を移動させた場合に、光学部品には、当接面が傾斜している方向にも力が伝達される。つまり、光学部品を挟持する位置を移動することができるばかりでなく、支持部が挟持する押圧力を高めることで、支持部の移動方向と交差する方向に光学部品を移動させることができる。
従って、光学部品が例えば円板状の凸レンズなどの場合に、支持部の当接面の傾斜方向をレンズの面に合わせてレンズ中心方向に傾かせた場合には、押圧をより高めることで、当接部位からレンズ中心に向かう方向に、レンズ全体を移動させることができる。つまり、レンズを固定した後においても、固定部材の調節部は偏心調節の機能を合わせ持つことができる。
【００１２】
［適用例３］上記適用例に係る光学部品の固定部材において、当接面が滑面処理されていることを特徴とする。
【００１３】
本適用例によれば、光学部品に当接する支持部の当接面が滑面処理されているため、当接面と光学部品の当接部位との摩擦力はより小さくなるために、光学部品はより容易に移動させることができる。
【００１４】
［適用例４］上記適用例に係る光学部品の固定部材において、調節部は、支持部に押圧力を伝達する弾性体を備えることを特徴とする。
【００１５】
本適用例によれば、調節部は、支持部に対し弾性体を介して押圧力を伝達するため、必要以上の押圧がかからないようにすることができる。また、光学部品は、弾性体を介して挟持されるため、光学装置の落下などによる衝撃を吸収することができる。それらの結果光学部品の破損や脱落などを軽減することが可能となる。
【００１６】
［適用例５］上記適用例に係る光学部品の固定部材において、光学部品を３箇所以上の箇所で挟持して光学装置に固定され、それぞれの固定部材において調節部によって調節される押圧力の均衡により、光学部品の固定位置が調節されることを特徴とする。
【００１７】
本適用例によれば、光学部品は、３箇所以上の箇所で固定部材によって挟持され、それぞれの固定部材において調節部によって調節される押圧力の均衡により固定位置が調節される。つまり、３箇所以上の箇所に取り付けられた固定部材の複数の支持部が光学部品に当接し押圧することによって光学部品を支えている。従って、それぞれの支持部の押圧力が維持されることで、光学部品の固定位置は維持される。また、必要な箇所の支持部の押圧力を調節することで、光学部品の固定位置を調節することができる。
【００１８】
［適用例６］本適用例に係るプロジェクターは、上記適用例に記載の光学部品の固定部材を用いたことを特徴とする。
【００１９】
プロジェクターに上記の固定部材を用いることにより、光学部品の固定に接着剤を用いることが無くなるので、プロジェクターの光源が発する熱に起因する光学系の光軸ズレや、振動、落下などの衝撃による光軸ズレを軽減することができる。また、メンテナンスにおいて、光学部品の取り外しや、光軸の調節などを簡便に行なうことができる。
【図面の簡単な説明】
【００２０】
【図１】（ａ）：実施形態１に係る光学部品の固定部材を用いて光学部品を固定しているイメージ図、図１（ｂ）：図１（ａ）のＡ−Ａ断面図。
【図２】（ａ），（ｂ）：固定部材の支持部および調節部の説明図。
【図３】レンズを挟持する支持部の他方の端部を示す断面図。
【図４】（ａ）〜（ｃ）：調節部の調節によるレンズの移動を示す説明図。
【図５】（ａ），（ｂ）：挟持する光学部品のバリエーションの例を示す断面図。
【図６】（ａ）〜（ｃ）：変形例１に係る光学部品の固定部材の説明図。
【図７】変形例２に係る光学部品の固定部材の説明図。
【図８】プロジェクターの光学系を示す模式図。
【発明を実施するための形態】
【００２１】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。
【００２２】
（実施形態１）
図１（ａ）は、実施形態１に係る光学部品の固定部材（以下固定部材１００）を用いて光学部品としてのレンズ１を固定しているイメージ図であり、レンズ１を用いた光学装置の光路を光軸方向から見た断面図を示している。図１（ｂ）は、図１（ａ）のＡ−Ａ断面図である。
【００２３】
図１（ａ）において、固定部材１００は、光路を形成する光路筐体２の内壁側面の３箇所に取り付けられ、円形のレンズ１を３方向から挟持して固定している。この３箇所の挟持位置は、光軸に略垂直な同一面内に位置しており、その間隔は、レンズ１の円周上において略等間隔になっている。なお、固定部材１００の個数および固定位置は、これに限定するものではなく、３個以上であれば良い。但し、光軸方向から見た平面視において、挟持するいずれかの３箇所を結ぶ三角形の内部にレンズ１の重心が含まれていることが好ましい。
【００２４】
固定部材１００は、一対の支持部１０と調節部２０とを備えている。
支持部１０は、一方の端部が調節部２０に支持され、一対を成す他方の端部でレンズ１を挟持している。
調節部２０は、支持部１０がレンズ１の当接部位を押圧して挟持する際の押圧力を調節する機能を有しており、光路筐体２に固定されている。
【００２５】
なお、本実施形態では、光学部品（レンズ１）として表裏面が同じ曲率の両凸レンズを例として説明を進めるが、このような両凸レンズに限定するものではなく、凹レンズや、凹凸の複合されたレンズ、反射ミラーなど光軸の調節が必要な光学部品に適用することができる。
【００２６】
図２（ａ），（ｂ）は、支持部１０および調節部２０を説明する図である。図２（ａ）は、図１（ａ）のＢ部を拡大して示している。図２（ｂ）は、図２（ａ）のＡ´−Ａ´断面図であり、図１（ｂ）のＣ部に対応している。
【００２７】
支持部１０は、弾性体で構成された板状体であるが、金属や剛性の高い樹脂材料であっても良い。
調節部２０は、調節ネジ２１、弾性体としてのバネ２２、ワッシャー２３、基台２４などから構成されている。
【００２８】
基台２４は、底部２４ａと中央部２４ｂとから成るブロック体である。底部２４ａは、平たい直方体ブロック形状で基台２４の底部を成し、一方の面が光路筐体２に固定され、対向する他方の面の中央部には、略垂直方向に突出する直方体ブロック形状の中央部２４ｂがつながっている。底部２４ａの他方の面には、中央部２４ｂを挟むように一対の支持部１０の一方の端部が嵌着されている。
【００２９】
中央部２４ｂには、ネジ穴２５が貫通するように形成されている。一対の支持部１０の中央部（両端部の中間部分）には、調節ネジ２１が遊挿される穴２６が形成されている。一対の支持部１０は、穴２６を貫通するように調節ネジ２１によってバネ２２、ワッシャー２３と共にネジ穴２５にネジ止めされる。バネ２２およびワッシャー２３は、ネジ止めされる支持部１０の表裏両面に支持部１０を挟むように配置される。
【００３０】
調節ネジ２１をネジ穴２５にネジ入れると、バネ２２を介してワッシャー２３に押圧された支持部１０は、底部２４ａに嵌着された一方の端部を支点にして撓み、基台２４の中央部２４ｂに近接する。また、調節ネジ２１をネジ穴２５に対して緩めると、支持部１０は、バネ２２の反発力によって、底部２４ａに嵌着された一方の端部を支点に基台２４の中央部２４ｂから離れる。つまり、調節ネジ２１を調節することによって、支持部１０の他方の端部は移動し、レンズ１を挟持する押圧力を調節することができる。
【００３１】
図３は、支持部１０の他方の端部を示す断面図であり、レンズ１を挟持している様子を示している。図３において、支持部１０が移動する方向をＸ方向（図３で右方向を＋Ｘ方向）、Ｘ方向に直交する方向をＺ方向（図３で上方向を＋Ｚ方向）として説明する。
【００３２】
支持部１０のレンズ１に当接する当接面１０ｓは、支持部１０の移動方向（Ｘ方向）に垂直な面に対して傾斜している。具体的には、レンズ１の当接部位における接線面１ｓに略平行になるように傾斜している。レンズ１は、表裏面が同じ曲率の両凸レンズであるため、対向する支持部１０の当接面１０ｓは、それぞれ向かい合うように逆側に傾斜している。また、当接面１０ｓは、レンズ１が当接した状態で容易に移動できるようにするため、つまり、レンズ１の表面に対する当接面１０ｓの摩擦係数をより小さくするために、表面が平滑に形成され滑面処理がされている。滑面処理の例示としては、フッ素含有薄膜を表面に形成する等がある。
【００３３】
図３において矢印Ｆは、一対の支持部１０の一方（図３において左側）の支持部１０を＋Ｘ方向に移動させて、レンズ１を押圧するベクトル（以下押圧Ｆ）を示している。また、図示していないが、一対の支持部１０の他方（図３において右側）の支持部１０からは、逆向きの押圧（−）Ｆが作用している。
【００３４】
ここで、押圧Ｆは、接線面１ｓに対して垂直方向の力Ｆａと接線面１ｓに対して平行な力Ｆｂとの和の形に分解して示すことができる。
Ｆ＝Ｆａ＋Ｆｂ
また、Ｆａは、Ｘ方向の力ＦａｘとＺ方向の力Ｆａｚとに分解して示すことができ、Ｆｂは、Ｘ方向の力ＦｂｘとＺ方向の力Ｆｂｚとに分解して示すことができる（Ｆｂｘ、Ｆｂｚは図示省略）。
Ｆａ＝Ｆａｘ＋Ｆａｚ
Ｆｂ＝Ｆｂｘ＋Ｆｂｚ
従って、押圧Ｆは、以下の式で表される。
Ｆ＝Ｆａｘ＋Ｆａｚ＋Ｆｂｘ＋Ｆｂｚ
【００３５】
同様に、他方の支持部１０からの押圧（−）Ｆは、以下の式のように、（−）Ｆａｘ、Ｆａｚ、（−）Ｆｂｘ、Ｆｂｚに分解することができる。
−Ｆ＝−Ｆａｘ＋Ｆａｚ−Ｆｂｘ＋Ｆｂｚ
Ｘ方向において、Ｆａｘは（−）Ｆａｘと、Ｆｂｘは（−）Ｆｂｘとそれぞれ相殺される。従って、一対の支持部１０によって左右からＦと（−）Ｆとで挟持することで、レンズ１に作用する力は、２Ｆａｚ＋２Ｆｂｚで表すことができる。
【００３６】
Ｆａは、接線面１ｓに対して垂直方向に加わる力であるため、レンズ１表面の摩擦に影響されずレンズ１に作用する。これに対して、Ｆｂは、接線面１ｓに平行な方向に作用する力であるため、レンズ１表面の摩擦係数によりレンズ１に対する作用が変わってくる。
当接面１０ｓは、レンズ１が当接した状態で容易に移動できるように、表面が滑面処理されているため、Ｆｂｚが作用する摩擦力は小さくなる。その結果、レンズ１は、Ｚ方向に移動する。
【００３７】
図４（ａ）〜（ｃ）は、調節部２０の調節により、レンズ１が移動する様子を示している。図４（ａ）〜（ｃ）は、図１（ｂ）と同様に、図１（ａ）における断面図を示している。但し、説明を簡単にするために、固定部材１００は、レンズ１の最下部と最上部に、つまり鉛直方向の上下に取り付けられている例で説明する。なお、説明において、図４（ａ）〜（ｃ）を正面から見た場合の上下左右の各方向を、図中の上下左右の各方向としている。
図４（ａ）〜（ｃ）に示すように、調節部２０の調節により、一対の支持部１０のそれぞれの片方の支持部１０を独立して移動させることで、レンズ１を移動させることができる。以下に説明する。
【００３８】
図４（ａ）は、レンズ１の上部を挟持する一対の支持部１０の押圧を両側から高めることにより、レンズ１の位置を下方向に移動させている様子を示している。上述したように、レンズ１の表面に対する当接面１０ｓの摩擦係数が充分小さい場合には、両側から押圧した場合に、傾斜した当接面１０ｓによって傾斜方向に力が加わりレンズ１が移動する。図４（ａ）の場合には、下方向の力が増加するのに対して、レンズ１の下部を挟持する固定部材１００の支持部１０が挟持する押圧は変わらないため、それぞれのバネ２２および支持部１０の弾性力を含めて上下の力関係が均衡するまでレンズ１は下降する。
なお、レンズ１の位置を下降させるためには、レンズ１の下部に位置する固定部材１００の挟持する力を緩めることによって行なっても良い。
【００３９】
図４（ｂ）は、レンズ１の上部を挟持する一対の支持部１０の押圧を両側から緩めることにより、レンズ１の位置を上方向に移動させている様子を示している。図４（ａ）の例とは逆に、レンズ１の上部を挟持する一対の支持部１０の押圧を両側から緩めると、下方向に作用する力が減少するため、相対的に上方向に加わる力が増加する。その結果、それぞれのバネ２２および支持部１０の弾性力を含めて上下の力関係が均衡するまでレンズ１は上昇する。
なお、レンズ１の位置を上昇させるためには、レンズ１の下部に位置する固定部材１００の挟持する力を増加させることによって行なっても良い。
【００４０】
図４（ｃ）は、レンズ１の上部を挟持する一対の支持部１０の両方を同じ方向に移動させることにより、レンズ１が挟持される位置を光軸方向に移動させている様子を示している。図４（ｃ）の場合には、左側の支持部１０を押圧が緩む方向（左側）に移動させ、右側の支持部１０を押圧が高まる方向（左側）に移動させている。その結果、レンズ１が挟持される位置は、左側に移動し、レンズ１は左に傾斜する。
なお、レンズ１を左に傾斜させるためには、レンズ１の下部に位置する固定部材１００の挟持位置を右に移動させることによって行なっても良い。
このように、支持部１０を同じ方向に同じ長さ移動させることで、押圧力をほとんど変化させることなく、レンズ１が挟持される位置を移動させ、レンズ１の傾きを調節することができる。
【００４１】
上記の説明では、対向する固定部材１００の一方を調節することで、レンズ１の位置を調節すると説明したが、これに限定するものではない。実際の場合には、３箇所以上の箇所に固定した固定部材１００によって光学部品を挟持し、それぞれの固定部材１００を強すぎたり逆に緩すぎたりしない範囲で調整することで、それぞれのバネ２２および支持部１０の弾性力を含めて力関係が均衡するようにレンズ１の位置を調整する。
【００４２】
なお、本実施形態では、レンズ１として表裏面が同じ曲率の両凸レンズを例に説明したが、このような両凸レンズに限定するものではなく、凹レンズや、凹凸の複合されたレンズ、反射ミラーなど光軸の調節が必要な光学部品に適用することができる。
図５（ａ），（ｂ）は、挟持する光学部品のバリエーションの例を示す断面図である。
図５（ａ）に示す光学部品１ａのように、その断面形状が長方形であっても良い。
また、図５（ｂ）に示すような凹レンズ１ｂであっても良い。例えば、図５（ｂ）に示すように凹レンズ１ｂの周辺部の曲面形状に対応するように、支持部１０の他方の端部を図示する支持部１０ｂのように支持部１０ｂの先端に行くほど挟持幅が小さくなるように当接面１０ｓを傾斜させても良い。
【００４３】
以上述べたように、本実施形態による光学部品の固定部材１００によれば、以下の効果を得ることができる。
光学装置の所望の位置に取り付けられた３個以上の固定部材１００によって、光学部品周辺の３箇所以上の部分を挟持することで、光学部品を光学装置内に固定することができる。その際に、支持部１０が充分な押圧で挟持するように調節部２０で調節することで、接着剤などを使用することなく光学部品を光学装置内に安定して固定することができる。また、上述したように支持部１０の挟持位置を調節することができるため、光学部品を固定した後においても、光学部品の位置や傾きなどの調節が可能となる。つまり、固定部材１００において、調節部２０は光軸の傾き調節の機能を合わせ持つことができる。
【００４４】
また、光学部品の固定に接着剤を使用しないことにより、例えば、以下に示す様々な効果が得られる。
光学装置の製造工程において、接着剤が光学部品の表面に付着しないようにするマスク処理などが不要となる。
接着剤が発するアウトガスなどによる光学系への悪影響を排除することができる。
光学装置の温度変化が引き起こす接着剤の膨張・収縮・軟化・硬化などによる光軸のズレを排除することができる。
光学装置の温度変化によるストレスや、振動、落下の衝撃などによって接着面が剥離し光学部品が脱落するなどの問題が排除される。
光学部品の取り外しや、光軸の調節などのメンテナンスを簡便に行なうことができる。
【００４５】
また、光学部品に当接する支持部１０の当接面１０ｓは、支持部１０の移動方向に垂直な面に対して傾斜しており、またその表面が滑面処理されている。光学部品の当接部位に対する押圧が高まる方向に支持部１０を移動させた場合に、光学部品には、当接面１０ｓが傾斜している方向に力が伝達される。当接面１０ｓの表面が滑面処理されているため、当接面１０ｓと光学部品の当接部位との摩擦力はより小さくなるために、光学部品はより容易に移動させることができる。
つまり、上述したように光学部品を挟持する位置を移動することができるばかりでなく、支持部１０が挟持する押圧力を変化させることで、支持部１０の移動方向と交差する方向に光学部品を移動させることができる。つまり、光学部品を固定した後においても、調節部２０は偏心調節の機能を合わせ持つことができる。
【００４６】
また、調節部２０は、支持部１０に対し弾性体としてのバネ２２を介して押圧力を伝達するため、必要以上の押圧がかからないようにすることができる。また、光学部品は、バネ２２を介して挟持されるため、光学装置の落下などによる衝撃を吸収することができる。それらの結果光学部品の破損や脱落などを軽減することが可能となる。
【００４７】
また、支持部１０は、弾性体で構成されるため、必要以上の押圧がかからないようにすることができる。また、光学部品は、弾性体の支持部１０を介して挟持されるため、光学装置の落下などによる衝撃を吸収することができる。それらの結果、光学部品の破損や脱落などを軽減することが可能となる。
【００４８】
また、光学部品は、３箇所以上の箇所で固定部材１００によって挟持され、それぞれの固定部材１００の調節部２０によって調節される押圧力の均衡により、光学部品の固定位置が調節される。つまり、３箇所以上の箇所に取り付けられた固定部材１００の複数の支持部１０が光学部品に当接し押圧することによって光学部品を支えている。従って、それぞれの支持部１０の押圧力が維持されることで、光学部品の固定位置は維持される。また、必要な箇所の支持部１０の押圧力を調節することで、光学部品の固定位置を調節することができる。
【００４９】
（変形例１）
図６（ａ）〜（ｃ）は、変形例１に係る光学部品の固定部材の説明図である。
実施形態１では、３個以上の固定部材１００でレンズ１を固定するとして説明したが、すべての固定部材に調節部２０を備えなくても良い。
図６（ａ）は、図１（ａ）と同じように３箇所の固定部材でレンズ１を固定している様子を示している。変形例１では、２箇所の固定部材１００と１箇所の固定部材１０１とでレンズ１を固定している。
【００５０】
図６（ｂ）は、図６（ａ）に示す固定部材１０１のＤ‐Ｄ断面図である。
固定部材１０１は、弾性体で構成された支持部１１からなり、調節部２０を備えていない。支持部１１の下端部は、光路筐体２に固定されており、上端部は、レンズ１を挟持するように二股に分割されている。支持部１１の上端挟持部のレンズ１に当接する面は滑面処理がされており、レンズ１との摩擦が低減されている。レンズ１を上から押圧して支持部１１の上端挟持部に押し込むことが可能であり、押圧を開放すると、支持部１１の弾性により、レンズ１は、上方向に押し戻される。
【００５１】
２個の固定部材１００は、実施形態１と同様に、固定部材１０１を含めてレンズ１の円周上において略等間隔に位置し、レンズ１を上部において両サイドから固定している。レンズ１の光軸の調節は、これら２個の固定部材１００によってそれぞれの支持部１０の押圧の均衡させることで行なうことができる。
【００５２】
なお、調節部２０を備えない固定部材１０１の位置および数は、上記の内容に限定するものではない。例えば、図６（ｃ）に示すように、固定部材１００と固定部材１０１とを交互に配置する方法であっても良い。
【００５３】
本変形例に係る光学部品の固定部材によれば、固定部材１０１に調節部２０を備えないため、より簡便に固定部材を構成することができる。また調節する箇所を少なく構成することができる。
【００５４】
（変形例２）
図７は、変形例２に係る光学部品の固定部材１００ａの説明図である。
実施形態１では、図２（ｂ）に示すように、一対の支持部１０は、基台２４のブロック体（中央部２４ｂ）を間に挟むように配置されていた。これに対し、変形例２では、基台２４を一対の支持部１０の外側に配置するようにしている。
【００５５】
図７は、図２（ｂ）における中央部２４ｂを分離し、ネジ受け部３４ｂとして一対の支持部１０の外側に配置した一例としての調節部３０を示す断面図である。
調節部３０は、調節ネジ３１、バネ３２、把持部３５、底部３４ａ、ネジ受け部３４ｂなどから構成されている。
把持部３５は、支持部１０の中央部（両端部の中間部分。図では、中央よりやや下の部分）を把持するように固定し、バネ３２を介して調節ネジ３１に連結されている。
調節ネジ３１は、ネジ受け部３４ｂに形成したネジ溝に沿って、回転させることにより移動して連結された支持部１０を移動させることができる。なお、バネ３２と調節ネジ３１とは摺動するように連結されているため、調節ネジ３１の回転は、バネ３２に伝達されない。
【００５６】
以上のように構成することで、一対の支持部１０の間に中央部２４ｂを挟む必要が無いため、より薄い光学部品を挟持して固定する場合などに有効である。
【００５７】
（プロジェクター）
次に、上述した光学部品の固定部材を用いたプロジェクターについて説明する。
図８は、固定部材１００を用いたプロジェクター３００の光学系を示す模式図である。
プロジェクター３００は、光源から射出された光束を画像信号に基づき変調して投射レンズから拡大投写する装置であり、光源３０１、均一化光学系３０２、色分離導光部３０３、光変調部３０４、色合成部３０５、投射レンズ３０６などを備え、光軸ＯＡに沿って順に配置されている。
【００５８】
均一化光学系３０２は、光源３０１から照射される光源光を均一化して射出する。
色分離導光部３０３は、均一化光学系３０２を経た光源光を赤緑青の３色に分割する。
光変調部３０４は、色分離導光部３０３から射出された各色の光源光を画像信号に基づき変調する。
色合成部３０５は、光変調部３０４で変調された各色の像光を合成する。
投射レンズ３０６は、色合成部３０５によって合成された像光をスクリーン（図示省略）に投射する。
【００５９】
色分離導光部３０３は、光学部品として、ダイクロイックミラー３１１、反射ミラー３１２、レンズ３１３などを備えている。
ダイクロイックミラー３１１、反射ミラー３１２、レンズ３１３は、それぞれ固定部材１００によって光路筐体２に固定されており、それぞれの固定部材１００が備える調節部２０によって光軸ＯＡの調整が行なわれている。なお、必ずしも、すべてのダイクロイックミラー３１１、反射ミラー３１２、レンズ３１３が固定部材１００によって固定される必要はない。
【００６０】
プロジェクターに固定部材１００を用いることにより、光学部品の固定に接着剤を用いることが無くなるので、プロジェクターの光源が発する熱に起因する光学系の光軸ズレや、振動、落下などの衝撃による光軸ズレを軽減することができる。また、メンテナンスにおいて、光学部品の取り外しや、光軸の調節などを簡便に行なうことができる。
【符号の説明】
【００６１】
１…光学部品としてのレンズ、１ｓ…接線面、２…光路筐体、１０…支持部、１０ｓ…当接面、２０…調節部、２１…調節ネジ、２２…バネ、２３…ワッシャー、２４…基台、２４ａ…底部、２４ｂ…中央部、３０…調節部、３１…調節ネジ、３２…バネ、３４ａ…底部、３４ｂ…ネジ受け部、３５…把持部、１００，１０１…固定部材、３００…プロジェクター、３０１…光源、３０２…均一化光学系、３０３…色分離導光部、３０４…光変調部、３０５…色合成部、３０６…投射レンズ、３１１…ダイクロイックミラー、３１２…反射ミラー、３１３…レンズ。
【図１】
2013142850.tif 000003
【図２】
2013142850.tif 000004
【図３】
2013142850.tif 000005
【図４】
2013142850.tif 000006
【図５】
2013142850.tif 000007
【図６】
2013142850.tif 000008
【図７】
2013142850.tif 000009
【図８】
2013142850.tif 000010